(57)【要約】      （修正有）【課題】頚部及び頭部の冷却作用を有し、しかも、頚部及び頭部を自然な状態で支えると共に、頚部のフィット感やクッション性が損なわれることのない枕を提供する。【解決手段】枕１は、頭部が載置されるヘッド部３ａと、このヘッド部３ａの長手方向中央から下側に突出するように延在する頚部を載せるためのネック部３ｂとから全体がＴ字状に形成され、内部に液体が封入されるクッション体３と、このクッション体３の周りをほぼ囲むように設けられて該クッション体３を収納する基体２と、下側からクッション体３に直接接触する保冷体８とからなっている。【選択図】図１
2014094031.tif 000002
【特許請求の範囲】
【請求項１】
袋状物に液体を封入してなるクッション体と、このクッション体を収納する収納凹部が形成された基体とを備える枕であって、
前記クッション体は、頭部を載置するためのヘッド部と、頚部を載置するための部位であって、該ヘッド部の外縁の一部から一定方向に延出した部位であるネック部とを有し、
前記基体は、底板と、該底板の縁部を上方に突出させることで形成された堤状の部位であって、予め定められた開放領域を開けて該底板の縁部を取り囲む堤部とを有し、
前記収納凹部は、前記底板と前記堤部とにより囲まれる空間により形成されており、前記堤部の内側の空間に前記ヘッド部を収納すると共に、前記開放領域に対面する空間に前記ネック部を収納すること、
を特徴とする枕。
【請求項２】
前記底板には、前記収納凹部に収納された前記クッション体と隣接した状態で保冷体を収容する収容部が形成されており、
前記収容部に収容された前記保冷体をさらに備えること、
を特徴とする請求項１に記載の枕。
【発明の詳細な説明】
【技術分野】
【０００１】
本発明は、睡眠時等に使用される枕に係わり、特に、袋状物に液体を収容してなるクッション体を備えた枕に関する。
【背景技術】
【０００２】
人間にとって、快適な睡眠を得ることは、健康維持あるいは体力回復のために不可欠のものであり、快適な睡眠における枕の果たす役割が非常に大きいのは周知のことである。そして、枕において快適な睡眠を得るには、クッション性やフィット感が重要な要因となっている。
【０００３】
しかしながら、人の頚部や頭部の形状は千差万別で、人によっては、枕に頚部及び頭部を載せたときに、フィット感が得られないばかりか、頭部が必要以上に下がってしまったりする等の不具合を生じてしまうことが考えられ、クッション性に優れ、万人にフィットさせるのは難しい課題となっていた。
【０００４】
また、快適な睡眠を得るには、人間の中枢部分である頚部及び頭部を適度に冷却するのが効果的であり、そのため、クッション体として袋状物内に豆類，セラミック等を充填してなる枕があるが、これらにおいては、頸部が不自然な状態となって圧迫されるという不具合がある上、豆類を充填したものは、豆類に「ダニ」等の虫がわいてしまい不衛生であり、セラミックを充填したものは、硬くてゴツゴツするためクッション性に問題があった。
【０００５】
そこで、本出願人は、これらの問題点を解決するため、特許文献１に示すように、頚部及び頭部を載せる部分であるクッション体を、袋状物に液体を封入することにより構成してなる枕を提案した。
【０００６】
この枕によれば、クッション体が、袋状物に液体を封入することにより構成されているから、「ダニ」等の虫がわいてしまうことなく、自在に変形して適度なクッション性を得ることができ、よって、頚部及び頭部の形の個人差に拘らず、万人にフィットして、頚部及び頭部を自然な状態で支えながら、適度に冷却することが可能になる。
【先行技術文献】
【特許文献】
【０００７】
【特許文献１】実開平６−２４５７６号公報
【発明の概要】
【発明が解決しようとする課題】
【０００８】
ところが、特許文献１の技術は、周りが堤部により囲まれた収納凹部を有する発泡樹脂等により形成された額縁状の基体を設け、袋状物に液体を封入したクッション体は、この基体の収納凹部内に収納されている。
【０００９】
斯かる構成の枕にあっては、クッション体の周囲全域に額縁状の基体が形成されているので、睡眠中の僅かな人体の動きにより頚部が枕の下方に移動し、頚部がクッション体からずれて基体に載ってしまうことがあり、この場合、折角の液体を封入したクッション体の機能が発揮できず、首すじのフィット感やクッション性が損なわれてしまうという問題点があった。
【００１０】
本発明は、上記したような問題点に鑑みなされたもので、その目的とするところは、頚部及び頭部の冷却作用を有し、しかも、頚部及び頭部を自然な状態で支えると共に、頚部のフィット感やクッション性が損なわれることのない枕を提供することにある。
【課題を解決するための手段】
【００１１】
このような問題を解決するために、本発明の枕は、請求項１に記載したように、袋状物（袋状物４）に液体を封入してなるクッション体（クッション体３）と、このクッション体（クッション体３）を収納する収納凹部（収納凹部２ｃ、ｄ）が形成された基体（基体２）とを備える枕（枕１）であって、前記クッション体（クッション体３）は、頭部を載置するためのヘッド部（ヘッド部３ａ）と、頚部を載置するための部位であって、該ヘッド部（ヘッド部３ａ）の外縁の一部から一定方向に延出した部位であるネック部（ネック部３ｂ）とを有し、前記基体（基体２）は、底板（底板２ａ）と、該底板（底板２ａ）の縁部を上方に突出させることで形成された堤状の部位であって、予め定められた開放領域を開けて該底板の縁部を取り囲む堤部（堤部２ｂ）とを有し、前記収納凹部（収納凹部２ｃ、ｄ）は、前記底板（底板２ａ）と前記堤部（堤部２ｂ）とにより囲まれる空間により形成されており、前記堤部（堤部２ｂ）の内側の空間に前記ヘッド部（ヘッド部３ａ）を収納すると共に、前記開放領域に対面する空間に前記ネック部（ネック部３ｂ）を収納することを要旨とする。
【００１２】
本発明の枕は、クッション体のヘッド部に頭部を、ネック部に頚部を載せると、それに応じて袋状物内の液体が移動して、ヘッド部及びネック部が凹む。この場合、ネック部は、ヘッド部の外縁の一部から一定方向に延出し、しかも、開放領域に対面する空間に収納されているので、クッション体の周囲全域に額縁状に基体（堤部）が形成されていた従来とは異なり、睡眠中の僅かな人体の動きにより頚部が枕の下方に移動した場合であっても、頚部がクッション体（ネック部）からずれて基体（堤部）に載ってしまうことがない。
【００１３】
その一方で、ヘッド部は、堤部の内側の空間に収納されてその外縁が堤部により囲まれているから、水の移動に伴って水平方向に拡がることは殆どなく、クッション体に載置された頭部が不快な程に沈み込むことがない。
【００１４】
このように構成され、このように作用する本発明の枕においては、液体を封入したクッション体の機能を十分に発揮し、自在に変形して頚部及び頭部を常に自然な状態で安定的に支えながら適度に冷却することができると共に、首すじのフィット感やクッション性が損なわれてしまうという不具合を防止できるという顕著な効果を奏する。
【００１５】
加えて、ネック部は、開放領域に対面する空間に収納されているので、ネック部に頚部が載ると、水の移動に伴ってその分延出方向に拡がり、これによりネック部と接する頚部の面積が大きくなる。その結果、上記の頚部がクッション体（ネック部）からずれて基体（堤部）に載ってしまうことを効果的に防止でき、更に首すじのフィット感やクッション性を増すことが可能となる。
【００１６】
ここで、袋状物に封入された液体のみで枕の冷却作用を高めるには限界があり、これは、次のようにするとよい。即ち請求項２に記載の枕は、請求項１に記載の枕において、前記底板（底板２ａ）には、前記底板（底板２ａ）には、前記収納凹部（収納凹部２ｃ、ｄ）に収納された前記クッション体（クッション体３）と隣接した状態で保冷体（保冷体８）を収容する収容部（空洞部２ｅ）が形成されており、前記収容部（空洞部２ｅ）に収容された前記保冷体（保冷体８）をさらに備えること、を要旨とする。
【００１７】
従って、このように構成される本発明の枕においては、基体の底板を利用して保冷体を収容する収容部を設け、この収容部にクッション体と隣接した状態で保冷体を収容するようにしたので、保冷体を収容する場所を新たに別途設ける必要がなく、効率よく保冷体を収容することができる。また、保冷体が直接頚部及び頭部に接触することなく、適度な温度で長時間に亘って頚部及び頭部を冷却することが可能になり、その結果、冷却作用を更に高めることができる。
【図面の簡単な説明】
【００１８】
【図１】本実施形態に係わる枕１の全体平面図である。
【図２】本実施形態に係わる図１のＡ−Ａ断面図である。
【図３】本実施形態に係わる図１のＢ−Ｂ断面図である。
【図４】本実施形態に係わる図１のＣ−Ｃ断面図である。
【図５】本実施形態に係わる枕１のＡ−Ａ断面における使用状態を示す側面図である。
【発明を実施するための形態】
【００１９】
＜１．枕１の構成＞
以下に、本発明の枕１に係る実施形態を図面に基づき説明する。まず、枕１の構成について説明する。図１は、枕１の全体平面図であり、図２は、図１のＡ−Ａ断面図、図３は、図１のＢ−Ｂ断面図、図４は、図１のＣ−Ｃ断面図である。図１に示すように、枕１は、平面視するとその全体が左右に横長の矩形状に形成されており、大別すると、中央の大部分を占める頚部及び頭部が載置される扁平形状のクッション体３と、このクッション体３の周りをほぼ囲むように設けられて該クッション体３を収納する基体２とからなっている。
【００２０】
クッション体３は、図１に示すように、平面視すると、主に頭部を載せるための略矩形状のヘッド部３ａと、このヘッド部３ａの長手方向中央から下側（首側）に突出するように延在する頚部を載せるためのネック部３ｂとから、全体が略Ｔ字状に形成されており、このヘッド部３ａとネック部３ｂとで袋状物４を形成している。
【００２１】
袋状物４は、その内部に、液体としての冷却や保冷に優れた特性を持つ水及び水が腐ることを防止するための防腐液を封入してなるものであり、頸部及び頭部を載せたときに、頸部及び頭部に対して適度の冷却作用を有する。なお、袋状物４の内部に入れる液体としては、上記の水や防腐液以外に、例えば水に吸収性ポリマーを混ぜ合わせたもの、水に塩化カリウム、塩化ナトリウム等の寒剤を混ぜ合わせたもの等が挙げられる。
【００２２】
この場合、袋状物４は、水を通さず、しかも、柔軟性に富む材料（ビニール等）からなる２枚のシートの周縁部相互間を溶着する（この溶着部分を図１の符号４ａで示す）ことにより形成されている。そして、袋状物４内には、図１〜４に示すように、ヘッド部３ａに対応して袋状物４の長手方向全体に亘る区画シート４ｂが３枚設けられると共に、図１、２に示すように、ヘッド部３ａとネック部３ｂの接続部分に、区画シート４ｂの略半分程度の長さの区画シート４ｅが１枚設けられており、これらの区画シート４ｂ、ｅにより、袋状物４内が４個の細長い収納室４ｃと、１個の収納室４ｃよりも短い収納室４ｆとに区画されている。
【００２３】
つまり、ヘッド部３ａは、４個の収納室４ｃにより形成され、ネック部３ｂは、１個の収納室４ｆにより形成されている。なお、区画シート４ｂ、ｅは、ビニール等の柔軟性に富む材料からなり、その上下縁部が袋状物４の内面に溶着されているものである。
【００２４】
区画シート４ｂには、図４に示すように、流水孔４ｄが夫々３個ずつ設けられており、これによって、収納室４ｃ相互間が連通され、袋状物４内の水が流水孔４ｄを介して各収納室４ｃ相互間を流通するようになっている。また、図示していないが、区画シート４ｅにも流水孔４ｄと同様な流水孔が２個設けられており、これによって、一番下側（首側）の収納室４ｃと収納室４ｆ間が連通され、袋状物４内の水がこの流水孔を介して該収納室４ｃと収納室４ｆ間を流通するようになっている。即ち、袋状物４内の水は、全ての収納室４ｃ、４ｆ間を流通する。
【００２５】
上記袋状物４には、図１に示すように、注水口５が設けられている。この注水口５には、これを塞ぐための止水栓６が着脱可能に設けられており、袋状物４内に水及び防腐液を注入する場合には、注水口５を開放し、注水口５から袋状物４内に水及び防腐液を注入する。
【００２６】
一方、基体２は、発泡樹脂等の弾性材により形成され、平坦な底板２ａの周縁に、これと一体あるいは接着等により、断面略三角形状の堤部２ｂが上方に突設されている。ここで、堤部２ｂは、図１、２に示すように、上記クッション体３のネック部３ｂと対応する箇所（特許請求の範囲における開放領域に相当）には設けられておらず、つまり基体２は、クッション体３の周縁を囲む額縁状に形成された形状から、ネック部３ｂと対応する堤部２ｂ箇所が切り欠かれて下側が開放された形状に形成されており、これにより、図２〜４に示すように、クッション体３のヘッド部３ａを収納する収納凹部２ｃと、図２に示すように、クッション体３のネック部３ｂを収納する収納凹部２ｄとが形成されている。
【００２７】
つまり、ヘッド部３ａは、ネック部３ｂと接続されている箇所以外は、堤部２ｂに囲まれた状態で収納凹部２ｃに収納され、ネック部３ｂは、その左右側が堤部２ｂに囲まれると共に、その下側は開放された状態で収納凹部２ｄに収納されるようになっている。
【００２８】
また、図１、２、４に示すように、基体２の中央下側には、底板２ａが上下方向に矩形トンネル状に貫通された空洞部２ｅが形成されており、この空洞部２ｅには、クッション体３のヘッド部３ａに下側から接触して該クッション体３を冷却するための保冷体８が挿入されている。また、図中７は、カバー体であり、このカバー体７は、図２〜４に示すように、袋状に形成され、基体２、クッション体３、保冷体８をカバー体７内に収容するようになっている（図１では、カバー体７の記載は省略している）。そしてカバー体７には、図示していないが、収容物出し入れ用のファスナー等が設けられている。
【００２９】
なお、保冷体８は、冷却材を樹脂シートなどの包装材で被覆したものからなり、例えば冷却材としては、氷、塩化カリウム、塩化ナトリウム、硫酸ナトリウム、ポリエチレングリコール、ドライアイス等が挙げられ、包装材としては、透水性のないポリエチレン、ポリ塩化ビニール、ナイロン、ポリエチレンテレフタレート等の樹脂シートやフィルム等が挙げられる。
【００３０】
＜２．枕１の作用効果＞
本発明の枕１は、上記のように構成されているので、図５に示すように、クッション体３のヘッド部３ａに頭部を、ネック部３ｂに頚部を載せると、それに応じて袋状物４内の水が移動して、頚部及び頭部を載せた部分、つまり収納室４ｃ及び収納室４ｆが凹む。なお、図５は、枕１のＡ−Ａ断面（図２参照）における使用状態を示す側面図である。
【００３１】
この場合、ネック部３ｂは、ヘッド部３ａから下側に頸部に対応するようにＴ字状に延出し、しかも、その下側が開放された状態で収納凹部２ｄに収納されているので、クッション体３の周囲全域に額縁状に基体２（堤部２ｂ）が形成されていた従来とは異なり、睡眠中の僅かな人体の動きにより頚部が枕１の下方に移動した場合であっても、頚部がクッション体３（ネック部３ｂ）からずれて基体２（堤部２ｂ）に載ってしまうことがない。
【００３２】
その一方で、ヘッド部３ａに対応する袋状物４は収納凹部２ｃ内に収納され、ヘッド部３ａは、その周縁の大部分が堤部２ｂにより囲まれているから、水の移動に伴って水平方向に拡がることは殆どなく、クッション体３に載置された頭部が不快な程に沈み込むことがない。
【００３３】
これにより、枕１は、液体を封入したクッション体３の機能を十分に発揮し、自在に変形して頚部及び頭部を常に自然な状態で安定的に支えながら適度に冷却することができると共に、首すじのフィット感やクッション性が損なわれてしまうという不具合を防止できる。
【００３４】
また、ネック部３ｂに対応する袋状物４は下側のみが開放されているので、ネック部３ｂに頚部が載ると、ネック部３は水の移動に伴ってその分下方向に拡がり、これによりネック部３ｂと接する頚部の面積が大きくなる。その結果、上記の頚部がクッション体３からずれて基体２に載ってしまうことを効果的に防止でき、更に首すじのフィット感やクッション性を増すことが可能となる。
【００３５】
しかも、袋状物４は、互いに連通する収納室４ｃ、ｆに区画されているので、上方への膨らみも適当な量に抑止されるので、クッション体３に載置された頚部及び頭部の揺動に伴って、袋状物４内の水が大きく流動することを防止することができる。その結果、頚部及び頭部の形状の個人差に拘らず、頚部及び頭部を更に安定性よく支えることが可能になる。
【００３６】
また、上部にクッション体３を配置し、このクッション体３に下側から直接接触する保冷体８を設けるようにしたので、保冷体８の冷気を直接クッション体３に伝えることができ、その結果、冷却熱の利用効率が高くなって冷却作用を更に高め、長時間に亘って頚部及び頭部を冷却することが可能になる。
【００３７】
更に、ネック部３ｂは、ヘッド部３ａから頸部に対応するようにＴ字状に延出しているので、クッション体３に頚部及び頭部を載置しても、肩はネック部３ｂ両側の基体２（堤部２ｂ）に接触するだけで、肩がネック部３ｂの袋状物４に接触することを回避することができるので、その結果、睡眠中に肩が冷えてしまうことを防止することが可能となる。
【００３８】
以上、本発明の実施形態に係わる枕１を図面に基づいて説明してきたが、具体的な構成は実施形態に示したものに限定されるものではなく、本発明の要旨を逸脱しない範囲における変更や追加などがあっても本発明に含まれる。
【００３９】
例えば、上述した実施形態においては、袋状物４内には、ヘッド部３ａとネック部３ｂの接続部分に区画シート４ｅを設けるようにしたが、これは省略するようにしてもよい。また、基体２には、底板２ａを貫通して保冷体８を挿入する空洞部２ｅを形成したが、これは、底板２ａを貫通することなく、底板２ａに凹状部を形成し、この凹状部に保冷体８を収容するようにしてもよい。なお、保冷体８は、省略するように構成することも可能である。
【００４０】
また、クッション体３は扁平形状となっているが、これに限らず、より厚みを有する形状としても良い。また、クッション体３のヘッド部３ａは、平面視すると略矩形に形成されているが、これに限らず、平面視した状態で例えば楕円形等に形成されていても良い。このような場合であっても、同様の効果を得ることができる。
【符号の説明】
【００４１】
１…枕、  ２…基体、
２ａ…底板、  ２ｂ…堤部、
２ｃ、ｄ…収納凹部、  ２ｅ…空洞部、
３…クッション体、  ３ａ…ヘッド部、
３ｂ…ネック部、  ４…袋状物、
４ａ…溶着部分、  ４ｂ、ｅ…区画シート、
４ｃ、ｆ…収納室、  ４ｄ…流水孔、
５…注水口、  ６…止水栓、
７…カバー体、  ８…保冷体。
【図１】
2014094031.tif 000003
【図２】
2014094031.tif 000004
【図３】
2014094031.tif 000005
【図４】
2014094031.tif 000006
【図５】
2014094031.tif 000007